(57)【要約】【課題】確実に搬送手段のクリーニングをすることにより、記録ヘッドのノズルの目詰まりの回復を可能にした液滴吐出装置を提供する。【解決手段】インクジェット記録装置１は、用紙Ｐにインクを吐出して画像を記録するためのヘッドユニット２と、ヘッドユニット２に用紙Ｐを搬送する搬送ベルト１０と、搬送ベルト１０の表面を清掃するための液体Ｌの入った洗浄槽２０を備え、搬送ベルト１０はフッ素樹脂のＦＥＰからなり、洗浄槽２０は、搬送ベルト１０が液体Ｌ中を通過可能な第１位置と、搬送ベルト１０が液体Ｌと離れた第２の位置とを移動可能に構成し、搬送ベルト１０に対して用紙Ｐのない部分にインクを吐出して空打ちする。【選択図】図１
2010023515.tif 000002
【特許請求の範囲】
【請求項１】
記録媒体に機能液を吐出して画像を記録するための記録ヘッド部と、該記録ヘッド部に前記記録媒体を搬送する搬送手段と、該搬送手段の表面を清掃するための液体の入った洗浄槽を備えた液滴吐出装置において、
前記洗浄槽を移動する移動手段を備え、前記洗浄槽が、前記搬送手段が前記液体中を通過可能な第１位置と、前記搬送手段が前記液体と離れた第２の位置とのうちの、どちらか一方を選択可能なことを特徴とする液滴吐出装置。
【請求項２】
記録媒体に機能液を吐出して画像を記録するための記録ヘッド部と、該記録ヘッド部に前記記録媒体を搬送する搬送部を有する搬送手段と、該搬送手段の搬送部の表面を清掃するための液体の入った洗浄槽とを備えた液滴吐出装置において、
前記搬送手段の搬送部に対して前記記録媒体のない部分に機能液を吐出して空打ちするように前記記録ヘッド部を制御する制御部を備え、前記搬送部は、少なくとも表面がフッ素系樹脂からなることを特徴とする液滴吐出装置。
【請求項３】
請求項２に記載の液滴吐出装置において、
前記液体は水であることを特徴とする液滴吐出装置。
【請求項４】
請求項２又は３の何れか一項に記載の液滴吐出装置において、
前記洗浄槽を移動する移動手段を備え、前記洗浄槽が、前記搬送手段が前記液体中を通過可能な第１位置と、前記搬送手段が前記液体と離れた第２の位置とのうちの、どちらか一方を選択可能なことを特徴とする液滴吐出装置。
【請求項５】
請求項１乃至４の何れか一項に記載の液滴吐出装置において、
前記洗浄槽に前記液体の濃度検出手段を備え、前記液体の濃度が所定値に達した時に報知する報知手段を備えたことを特徴とする液滴吐出装置。
【請求項６】
請求項５に記載の液滴吐出装置において、
前記液体の濃度が所定値に達した時に、前記洗浄槽内の液体の交換を行うことを特徴とする液滴吐出装置。
【請求項７】
請求項１乃至６の何れか一項に記載の液滴吐出装置において、
前記液体を脱水及び乾燥のうちの少なくとも一方の方法で除去する除去手段を、前記洗浄槽の前記搬送手段の搬送方向下流側に備えたことを特徴とする液滴吐出装置。
【発明の詳細な説明】
【技術分野】
【０００１】
本発明は、液滴吐出装置に関し、記録ヘッドのノズルの目詰まりの回復に係わる。
【背景技術】
【０００２】
液滴吐出装置として、記録媒体に機能液（例えば、インク）を吐出して文字や画像等の記録（印刷）を行うインクジェット記録装置が広く知られている。この種の液滴吐出装置は、インクを記録ヘッドのノズルから吐出させて記録媒体に記録を行う。しかし、記録ヘッドのノズルは、長期間の休止時あるいは記録動作中に、不使用なノズルは、乾燥ないしは蒸発によって、ノズル内のインクが増粘することにより目詰まりが発生し、正常な機能液の吐出が行えなくなることが知られている。
【０００３】
ノズルの目詰まりを回復する方法として、記録ヘッドを記録領域外に移動させて、インク吸収部材などにインク吐出を行う（以下、空吐出と示す）方法が一般的に行われている。
しかし、多数の記録ヘッドを記録媒体の記録幅に配列したラインヘッド記録装置などにおいては、記録ヘッドの移動距離が長くなることにより、装置の大型化や回復に要する時間が長くなるなどにより適用するのが難しかった。
【０００４】
こうしたラインヘッド記録装置に対応するために、記録紙を搬送する搬送手段と、搬送手段を清掃するためのクリーニング手段とを有し、搬送手段の表面にインクの吐出を行う画像記録装置が開示されている（例えば、特許文献１参照）。
【先行技術文献】
【特許文献】
【０００５】
【特許文献１】特開平２−１７９７４７号公報
【発明の概要】
【発明が解決しようとする課題】
【０００６】
上記の特許文献１のように、搬送手段の表面にインクの吐出を行う記録装置において、記録紙を搬送する搬送手段を清掃するためのクリーニング方法が、記録装置の記録品質の良否に大きく影響を与える。連続多孔質部材を用いたクリーニング手段は、多孔質部材のセル密度によって清掃具合が大きく異なるため、セル中にインク成分が残り完全な拭き取りができずに、搬送手段の表面に汚れが残ることにより、記録紙の裏面汚れの発生が懸念される。さらに、クリーニングを繰り返すことでセル中にインク成分が蓄積され、クリーニング力の低下、およびインクがクリーニング手段から搬送手段表面へ転移する汚染の発生も考えられる。
そこで、本発明は、搬送手段の確実なクリーニングを行うことにより、記録ヘッドのノズルの目詰まりの回復を可能にした液滴吐出装置を提供することを目的とする。
【課題を解決するための手段】
【０００７】
上記問題を解決するために、本発明の液滴吐出装置は、記録媒体に機能液を吐出して画像を記録するための記録ヘッド部と、該記録ヘッド部に前記記録媒体を搬送する搬送手段と、該搬送手段の表面を清掃するための液体の入った洗浄槽を備えた液滴吐出装置において、前記洗浄槽を移動する移動手段を備え、前記洗浄槽が、前記搬送手段が前記液体中を通過可能な第１位置と、前記搬送手段が前記液体と離れた第２の位置とのうちの、どちらか一方を選択可能なことを特徴とする。
【０００８】
上記構成によれば、特別な機構を必要とせずに、搬送手段を洗浄槽の液体内を通過させることにより搬送手段の確実な清掃を行うことができ、安価な清掃システムを得ることができる。また、液滴吐出装置の印刷停止時、あるいは長期間の停止時（不使用時）に、搬送手段が洗浄槽の液体中に浸かり続けることによって発生する変形、あるいは劣化を防止できると共に、液滴吐出装置の保管も容易になる。さらに、洗浄槽に入った液体の交換を容易に行うことができる。
【０００９】
また、本発明の液滴吐出装置は、記録媒体に機能液を吐出して画像を記録するための記録ヘッド部と、該記録ヘッド部に前記記録媒体を搬送する搬送手段と、該搬送手段の表面を清掃するための液体の入った洗浄槽とを備えた液滴吐出装置において、前記搬送手段の搬送部に対して前記記録媒体のない部分に機能液を吐出して空打ちするように前記記録ヘッド部を制御する制御部を備え、前記搬送部は、少なくとも表面がフッ素系樹脂からなることを特徴とする。
上記構成によれば、少なくとも搬送部の表面をフッ素樹脂で構成したことにより、搬送部に着弾した機能液の保持、および液体洗浄による機能液の良好な剥離性が得られ、搬送部の確実な清掃（洗浄）が可能になり、搬送部に機能液を吐出（空打ち）する、記録ヘッド（ノズル）の目詰まりの回復を可能にした液滴吐出装置を提供することことができる。
【００１０】
また、本発明の液滴吐出装置は、前記液体は水であることを特徴とする。
上記構成によれば、搬送部の表面が剥離性の高いフッ素樹脂なので、搬送部の表面を清掃するための液体（洗浄液）として水を用いる事が可能となり、環境に対する影響を考慮した、記録ヘッド（ノズル）の目詰まりの回復の可能な液滴吐出装置を提供することことができる。
【００１１】
また、本発明の液滴吐出装置は、前記洗浄槽に前記液体の濃度検出手段を備え、前記液体の濃度が所定値に達した時に報知する報知手段を備えたことを特徴とする。
上記構成によれば、搬送手段を清掃する洗浄槽内の液体の汚れ具合を確実に検出し、しかも報知手段により液体の交換の必要性を確実に認知することができ、常に汚れのない記録媒体の搬送が可能な液滴吐出装置を得ることができる。
【００１２】
また、本発明の液滴吐出装置は、前記液体の濃度が所定値に達した時に、前記洗浄槽内の液体の交換を行うことを特徴とする。
上記構成によれば、搬送手段を清掃する洗浄槽内の液体の汚れ具合を確実に検出し、しかも報知手段により液体の交換の必要性を確実に認知した場合に、洗浄槽内の液体の交換を行うことにより、常に汚れのない記録媒体の搬送が可能な液滴吐出装置を得ることができる。
【００１３】
本発明の液滴吐出装置は、前記液体を脱水及び乾燥のうちの少なくとも一方の方法で除去する除去手段を、前記洗浄槽の前記搬送手段の搬送方向下流側に備えたことを特徴とする。
上記構成によれば、搬送手段を清掃する液体（洗浄液）残りを確実に除去することができ、記録媒体の汚れを防止すると共に、記録媒体の濡れによる印刷画像の滲み、あるいは濡れによる表面形状の歪み発生（コックリング）などによる、印刷不良や印刷不能を防止することができる。
【図面の簡単な説明】
【００１４】
【図１】本発明のインクジェット記録装置の印刷及び搬送部の概略構造を示す模式図。
【図２】図１における洗浄槽が移動した状態を示す説明図。
【図３】濃度検出センサの検出方法を模式的に示す回路図。
【図４】除去手段を説明するインクジェット記録装置の部分模式図。
【図５】別の除去手段を説明するクリーニング部の部分模式図。
【発明を実施するための形態】
【００１５】
（第１の実施形態）
以下、図１〜図３に基づいて本発明の液滴吐出装置の実施形態を説明する。なお、本実施形態では、本発明の液滴吐出装置の一例として、機能液としてのインクを記録媒体としての用紙に吐出して、画像を印刷するインクジェット記録装置を用いて説明する。
図１は、本発明の液滴吐出装置としてのインクジェット記録装置の印刷及び搬送部の概略構造を示す模式図。図２は、図１における液体が入った洗浄槽が、下降した状態を示す説明図。図３は、濃度検出センサの検出方法を模式的に示す回路図である。
【００１６】
図１において、インクジェット記録装置１は、インク滴を吐出し画像を記録するための記録ヘッド部としてのヘッドユニット２と，ヘッドユニット２に用紙Ｐを搬送する搬送装置３と、搬送装置３の搬送ベルト１０を清掃するためのクリーニング部４と、用紙Ｐを搬入する搬入部５と、用紙Ｐを排出する排出部６と、制御部７と、報知手段としての報知部８とを備えている。
【００１７】
ヘッドユニット２は、インクの種類に対応した複数のインクジェットヘッドを、用紙Ｐの幅方向にわたって全幅に対応する多数のインク吐出ノズルを各々配列している（図示せず）。いわゆるラインヘッドで構成されている。
【００１８】
搬送装置３は、用紙Ｐをヘッドユニット２（印刷領域）まで搬送する搬送部としての環状の搬送ベルト１０と、搬送ベルト１０を駆動させる駆動ローラ１１と、搬送ベルト１０をヘッドユニット２の吐出口に対向させながら従動する従動ローラ１２とを備えている。
搬送ベルト１０は、フッ素樹脂の例えばＦＥＰ（テトラフルオロエチレン・ヘキサフルオロプロピレン共重合体）で構成されている。駆動ローラ１１は、制御部７により駆動制御されるモータ１３により駆動する。
【００１９】
クリーニング部４は、搬送ベルト１０を清掃するための液体Ｌが入った洗浄槽２０と、洗浄槽２０に液体Ｌを給水するための給水タンク２１及び給水ポンプ２２と、洗浄槽２０から液体Ｌを排水するための排水ポンプ２３及び排水タンク２４と、洗浄槽２０内の液体Ｌの濃度を検出するための濃度検出手段としての濃度検出センサ２５と、洗浄槽２０を移動させる移動手段としてのリフト２６とが備えられている。
【００２０】
液体Ｌは、搬送ベルト１０を清掃するための洗浄液体であり、洗浄液体として、例えば水を用いる。
給水ポンプ２２及び排水ポンプ２３は、制御部７の制御信号により駆動する。給水ポンプ２２は、給水タンク２１に貯水された新たな液体（水）Ｌを洗浄槽２０に供給し、排水ポンプ２３は、洗浄槽２０に貯水した液体Ｌを排水タンク２４に排水する。
【００２１】
濃度検出センサ２５は、例えば光学センサからなり、洗浄槽２０に貯水された水中に配置されている。
この濃度検出センサ２５の構成及び濃度検出方法を、図３に基づいて説明する。
濃度検出センサ２５は、発光素子としての発光ダイオード２７ａを内蔵する発光部２７と、受光素子としてのフォトトランジスタ２８ａを内蔵する受光部２８とで構成されている。
【００２２】
発光部２７（発光ダイオード２７ａ）と受光部２８（フォトトランジスタ２８ａ）は、所定の距離の隙間で対向するように配置され、発光部２７と受光部２８の隙間部に液体Ｌが浸水可能に一体に構成されている。なお、発光部２７及び受光部２８は、発光ダイオード２７ａの発光面及びフォトトランジスタ２８ａの受光面以外は、光の漏れを防止するために、例えば黒色のＰＯＭ（ポリアセタール）樹脂で構成されている。
【００２３】
また、発光ダイオード２７ａは、インクジェット記録装置１に用いるインクの色に対する補色の関係にある波長を発光する発光素子を選択すれば良い。例えば機能液として、イエロー，マゼンタ，シアン，ブラックの４色のインクを用いる場合は、発光ダイオード２７ａとして白色ＬＥＤを選ぶことにより、感度が高く、Ｓ／Ｎ比の優れた検出が可能になる。
【００２４】
濃度検出回路は、２つの抵抗素子Ｒと、アナログデジタル変換器（ＡＤ変換器）２９とで構成されている。この濃度検出回路は、制御部７と共にインクジェット記録装置１本体内に配置された図示しない回路基板上に構成される。なお、抵抗素子Ｒは、フォトトランジスタ２８ａからの出力信号を電圧として取り出すために設けられている。
【００２５】
発光ダイオード２７ａから発せられた光は、フォトトランジスタ２８ａに到達し、フォトトランジスタ２８ａが受光した光の量に比例した電圧値が、アナログ信号としてＡＤ変換器２９に出力される。ＡＤ変換器２９では、フォトトランジスタ２８ａから入力したアナログ信号がデジタル信号に変換されて、出力信号として制御部７へ出力される。
制御部７は、出力されたデジタル信号に基づいてインク濃度を判定し、インク濃度が所定値を上回っている場合に、その旨を報知部８に出力する。なお、発光ダイオード２７ａに印加される電圧値は所定電圧値に固定されている。
【００２６】
図１に示すリフト２６は、液体Ｌが入った洗浄槽２０を移動するための移動手段であり、制御部７の制御信号に基づいて、リフト２６の本体に組み込まれたリニアモータ３１を駆動して、環状の搬送ベルト１０の従動ローラ１２の下流側（駆動ローラ１１の上流側）の部位が、洗浄槽２０の液体Ｌに水没して液体Ｌ中を通過可能な第１の位置と、図２に示すように、搬送ベルト１０が洗浄槽２０の液体Ｌと離れた第２の位置との２つの位置に、洗浄槽２０を移動及び保持をする。
【００２７】
搬入部５は、搬入ローラ４１とピンチローラ４２を備え、用紙カセット（図示せず）から給紙ローラ（図示せず）により１枚づつ送りだされた用紙Ｐを、搬入ローラ４１が回転することにより、搬入ローラ４１およびピンチローラ４２とにはさんで、搬送ベルト１０上に搬入する。搬入ローラ４１は、制御部７により駆動制御されるモータ４３により駆動する。
【００２８】
排出部６は、排出ローラ４４とピンチローラ４５を備え、ヘッドユニット２において画像が記録され、搬送ベルト１０上に搬送された用紙Ｐを、排出ローラ４４が回転することにより、排出ローラ４４およびピンチローラ４５とにはさんで、用紙排紙トレイ（図示しない）に排出する。排出ローラ４４は、制御部７により駆動制御されるモータ４６により駆動する。
【００２９】
制御部７は、印刷処理（記録処理）や各種処理を実行するＣＰＵ（Central Processing Unit）、ホストコンピュータなどからインタフェイス（ＩＦ）を介して入力される印刷データ（記録データ）をデータ格納領域に格納する、あるいは各種データを一時的に格納するＲＡＭ（Random Access Memory）、各部を制御する制御プログラム等を格納するＰＲＯＭ，ＥＥＰＲＯＭ（Electrically Erasable Programmable Read-Only Memory）、などを備えている。
【００３０】
報知部８は、濃度検出回路において検出した、洗浄槽２０内の液体Ｌの濃度が所定値に達した場合に、制御部７からの出力信号に基づいて液体Ｌの濃度が所定値に達したことを報知する手段であり、例えば、インクジェット記録装置１の本体表面に配置したＬＥＤランプ（図示しない）を点燈表示する。
【００３１】
以下、インクジェット記録装置１の動作について説明する。
インクジェット記録装置１に電源が投入されると、制御部７のＣＰＵにおいて、今回の電源投入以前の電源切断からの経過時間を計算して、経過時間が所定の時間を経過している場合に、制御部７がドライバを介してヘッドユニット２に所定の時間、駆動信号を出力し、ヘッドユニット２の各ラインヘッドのインク吐出ノズルからインク滴を、搬送ベルト１０の表面に空吐出する。
【００３２】
こうした空吐出により、例えば長期間の休止時にヘッドユニット２のノズル内のインクが乾燥ないしは蒸発によって増粘することにより発生した目詰まりの回復を行うことができる。搬送ベルト１０の表面にインク滴を吐出する空吐出は、印刷（記録）動作中においても、印刷に不使用なノズルあるいは、使用頻度の少ないノズルの乾燥ないしは蒸発による目詰まりの回復を適宜行う。この空吐出は、例えば用紙Ｐの印刷枚数が所定数に達した場合に、印刷された用紙Ｐが排出され、次に印刷する用紙Ｐが搬入される間において行なわれる。
【００３３】
そして、表面にインク滴が空吐出された搬送ベルト１０は、制御部７の制御信号に基づいて駆動された駆動ローラ１１と、駆動ローラ１１の駆動により搬送される搬送ベルト１０に従動する従動ローラ１２により、クリーニング部４の液体Ｌが入った洗浄槽２０の液体Ｌ中を移動しながら通過し、搬送ベルト１０に着弾したインク滴がクリーニング（清掃）される。
【００３４】
搬送ベルト１０の表面は、インク滴が流れ出してインクジェット記録装置１内を汚さないためのインク保持能力と，クリーニングによる搬送ベルト１０の表面からの良好な剥離性が要求されるが、搬送ベルト１０は、フッ素樹脂の例えばＦＥＰで構成されていることにより、搬送ベルト１０に着弾したインク滴の保持能力、および液体Ｌ（水）洗浄によるインク滴剥離性が良好なクリーニングを行うことができる。この水洗浄では、インクが顔料インクなどの剥離性の悪いインクに対しても良好なインク剥離性を示す。
【００３５】
また、液体Ｌによりクリーニングを行うことは、液体Ｌがインクと同じ液状であるため、セル密度の影響を受けないという利点を有する。さらに、液体Ｌ中にインク成分が稀釈されるため，繰り返しクリーニングを行ってもクリーニング力の低下を招きにくく，クリーニング部の寿命を長く保つことができる。
そして、洗浄槽２０の液体Ｌ中を移動しながら通過した搬送ベルト１０の空吐出された部位は、用紙Ｐの搬入部５に戻る。
【００３６】
搬入部５では、用紙カセットから送りだされた用紙Ｐを、制御部７により駆動制御されたるモータ４３が駆動することにより搬入ローラ４１が回転して、搬入ローラ４１とピンチローラ４２とにはさまれて搬送ベルト１０上に搬入され、そしてヘッドユニット２の印刷（記録）領域に搬送される。
印刷領域に搬送された用紙Ｐは、搬送ベルト１０に搬送移動されながら、ヘッドユニット２のノズルからインク滴が吐出されて印刷データに基づく印刷が行われる。
【００３７】
用紙Ｐへの印刷は、制御部７において、ＩＦを介してホストコンピュータから入手し、ＲＡＭに格納された印刷データを、ＣＰＵにおいて所定の処理を実行して、この処理データに基づいてヘッドドライバに駆動信号が出力され、ヘッドドライバを介して駆動信号がヘッドユニット２に入力され、駆動信号が入力されたノズルから、用紙Ｐにインク滴が吐出されて印刷データに基づく画像の印刷（記録）が行われる。
【００３８】
印刷が行われた用紙Ｐは、搬送ベルト１０により排出部６に搬送される。搬送された用紙Ｐは、制御部７の駆動信号によりモータ４６が駆動して、排出ローラ４４が回転することにより、排出ローラ４４に従動するピンチローラ４５とにはさまれて、用紙排紙トレイに排出される。
【００３９】
搬送ベルト１０は、こうした搬送動作の一周毎に、クリーニング部４の液体Ｌが入った洗浄槽２０の液体Ｌ中を移動しながら通過することにより、常にクリーニングされる。この搬送ベルト１０のクリーニングは、ヘッドユニット２のノズルからインク滴が空吐出されるノズルの回復を行った時のみ、リフト２６を用いて洗浄槽２０を第１の位置に移動し、空吐出以外の時は、洗浄槽２０を第２の位置に配置しても良い。
【００４０】
次に、クリーニング部４の動作について説明する。
洗浄槽２０に貯水された液体Ｌ（水）中に配置された濃度検出センサ２５は、液体Ｌが搬送ベルト１０をクリーニングする以前の初期段階では、発光ダイオード２７ａからの光の多くがフォトトランジスタ２８ａに到達することができる。表面にインク滴を吐出する空吐出を多数回行われた搬送ベルト１０をクリーニングした以降の段階では、発光ダイオード２７ａから発せられた光の多くは、液体Ｌ（水）中に洗浄されたインクによって吸収されて、フォトトランジスタ２８ａに到達する光量はわずかとなる。
【００４１】
こうした液体Ｌが搬送ベルト１０をクリーニングする以前の初期段階と、表面にインク滴を吐出する空吐出を多数回行われた搬送ベルト１０をクリーニングした以降の段階におけるフォトトランジスタ２８ａが受光した光の量に比例した電圧値が、フォトトランジスタ２８ａからアナログ信号として出力され、出力されたアナログ信号は、ＡＤ変換器２９においてデジタル信号に変換され、変換されたデジタル信号は、出力信号として制御部７に出力される。
【００４２】
制御部７では、搬送ベルト１０をクリーニングする以前の初期段階と、搬送ベルト１０をクリーニングした以降の段階における、フォトトランジスタ２８が受光した光の量に比例した電圧値の差を算出して、制御部７のＰＲＯＭに保存されているインク濃度を判定するための基準としてのテーブル値と比較して、算出値が所定値に達した場合に、インク濃度が所定値に達したことを判定する。そして、インク濃度が所定値に達したことを報知部８に出力する。
【００４３】
報知部８は、制御部７の出力信号に基づいてインクジェット記録装置１の本体表面に配置したＬＥＤランプ（図示しない）を点燈表示する。
報知部８の点燈表示により、洗浄槽２０内の液体Ｌの濃度が所定値に達した場合には、必要に応じ、排水ポンプ２３及び給水ポンプ２２を稼動して、洗浄槽２０内の液体Ｌを排水タンク２４に排水し、給水タンク２１から新たな液体（水）を、洗浄槽２０内に給水する。
【００４４】
こうした洗浄槽２０内の液体Ｌの給水及び排水時には、リフト２６の本体に組み込まれたリニアモータ３１を駆動することによりリフト２６を稼動して、搬送ベルト１０を洗浄槽２０の液体Ｌ中を通過する第１の位置から、図２に示すＹ方向に移動して、搬送ベルト１０が洗浄槽２０の液体Ｌと離れた第２の位置に移動及び保持をして、液体Ｌの給水及び排水行う。
【００４５】
以上説明したように、第１の実施形態によれば、以下の効果が得られる。
【００４６】
（１）搬送ベルト１０へ洗浄液を吹き付けるなどの特別な機構を必要とせずに、搬送手段を洗浄槽２０の液体Ｌ内を通過させることにより搬送ベルト１０の清掃を行うことができる、安価な清掃システムを得ることができる。また、洗浄槽２０を搬送ベルト１０と離れた第２の位置に移動することにより、インクジェット記録装置１の印刷停止時、あるいは長期間の停止時（不使用時）に、搬送ベルト１０が洗浄槽２０の液体Ｌ中に浸かり続けることによって発生する変形、あるいは劣化を防止できると共に、インクジェット記録装置１の保管も容易になる。さらに、洗浄槽２０に入った液体Ｌの交換が確実に行える。
【００４７】
（２）少なくとも搬送ベルト１０の表面をフッ素系樹脂のＦＥＰで構成したことにより、搬送ベルト１０に着弾したインクの保持、および液体Ｌの洗浄によるインクの良好な剥離性を得ることで、搬送ベルト１０の確実な清掃（洗浄）が可能な、搬送ベルト１０にインクを吐出（空打ち）することにより、ノズルの目詰まりの回復を可能にしたインクジェット記録装置を提供することことができる。しかも液体Ｌ（洗浄液）として水を用いる事が可能であり、環境にやさしいインクジェット記録装置を提供できる。
【００４８】
（３）洗浄槽２０内に液体Ｌの濃度検出センサ２５を備え、濃度検出センサ２５で検出した液体Ｌの濃度が所定値に達した時に報知する報知部８を備えたことにより、洗浄槽２０内の液体Ｌの汚れ具合を確実に検出し、しかも報知部８により液体の交換の必要性を確実に認知することができ、常に汚れのない用紙Ｐの搬送が可能なインクジェット記録装置を得ることができる。
【００４９】
（４）洗浄槽２０が搬送ベルト１０の重力方向下側に位置することにより、搬送ベルト１０が垂直に搬送される部分の液垂れなどが発生しても、インクジェット記録装置内の汚れを防ぐことができる。
【００５０】
（第２の実施形態）
第２の実施形態は、搬送部の搬送ベルトを清掃するためのクリーニング部の下流側に、クリーニング部において清掃された搬送ベルトに残留した液体を除去する除去手段を備えた液滴吐出装置である。
【００５１】
図４は、搬送ベルトに残留した液体を除去する除去手段を説明するインクジェット記録装置の部分模式図である。なお、図４は、インク滴を吐出し画像を記録するための記録ヘッド部としてのヘッドユニット２と，用紙Ｐをヘッドユニット２まで搬送する搬送部としての環状の搬送ベルト１０Ｂと、クリーニング部４Ｂとしての搬送ベルト１０Ｂを清掃するための液体Ｌが入った洗浄槽２０Ｂと、搬送ベルト１０Ｂに残留した液体Ｌを除去する除去手段のみを図示する。これ以外の構成及び動作は、第１の実施形態と同様であり、その説明はこれを省略する。
【００５２】
図４において、ヘッドユニット２は、インクの種類に対応した複数のインクジェットヘッドが、用紙Ｐの幅方向にわたって全幅に対応する多数のインク吐出ノズルを各々配列している。いわゆるラインヘッドで構成されている（第１の実施形態を参照）。
【００５３】
搬送部３Ｂとしての環状の搬送ベルト１０Ｂは、搬送ベルト１０Ｂを駆動させる駆動ローラ１１Ｂと、搬送ベルト１０Ｂをヘッドユニット２の吐出口に対向させながら従動する従動ローラ１２Ｂと、搬送ベルト１０Ｂをクリーニング部４Ｂに案内をするガイドローラ４７と、搬送ベルト１０Ｂをクリーニング部４Ｂ（洗浄槽２０）の搬送ベルト１０Ｂの搬送方向下流側に配置され、搬送ベルト１０Ｂをクリーニング部４Ｂから駆動ローラ１１Ｂまで案内するガイドローラ４８を備え、図示のようにＬ字形状の経路で搬送される。
搬送ベルト１０Ｂは、フッ素樹脂の例えばＦＥＰで構成されている。駆動ローラ１１Ｂは、制御部７により駆動制御されるモータ１３により駆動する。
【００５４】
クリーニング部４Ｂは、搬送ベルト１０を清掃するための液体Ｌが入った洗浄槽２０Ｂを備えている。洗浄槽２０Ｂは、搬送ベルト１０がＬ字形状の経路で搬送されるその下端部に設けられ、ガイドローラ４７が洗浄槽２０Ｂ内の液体Ｌに半浸水する。液体Ｌは、搬送ベルト１０Ｂを清掃するための洗浄液体であり、洗浄液体として水を用いる。
ガイドローラ４８は、ローラ内部に搬送ベルト１０Ｂに残留した液体Ｌを乾燥して除去するためのヒータ４９を内蔵している。このヒータ４９を内蔵したガイドローラ４８が除去手段である。ヒータ４９は、制御部７の駆動信号により作動する。ヒータ４９は、ヒータの設定温度が調整できる構成を有するのが望ましい。
【００５５】
次に、このように構成された搬送部３Ｂ及びクリーニング部４Ｂの動作について説明する。
インクジェット記録装置が、長期間の休止などにより、ヘッドユニット２のノズル内のインクが乾燥ないしは蒸発によって発生した目詰まりを回復させるために、ヘッドユニット２の各ラインヘッドのインク吐出ノズルからインク滴を、搬送ベルト１０Ｂの表面に空吐出をする。
【００５６】
表面にインク滴が空吐出された搬送ベルト１０Ｂは、駆動ローラ１１Ｂが制御部７の駆動信号によりモータ１３を駆動することにより回転し、従動ローラ１２Ｂ及びガイドローラ４７，４８に案内されて、液体Ｌが入った洗浄槽２０Ｂの液体Ｌ中を通過する。液体Ｌ中を通過することにより、搬送ベルト１０Ｂの表面に空吐出されたインク滴は、液体Ｌにより清掃（洗浄）される。
【００５７】
洗浄槽２０Ｂにおいて洗浄された搬送ベルト１０Ｂは、ガイドローラ４８に案内されて用紙Ｐの搬入部５に戻る（第１の実施形態参照）。搬送ベルト１０Ｂは、ガイドローラ４８を通過時に、ガイドローラ４８に内蔵されたヒータ４９により、搬送ベルト１０Ｂに残留した液体Ｌを、乾燥することにより除去をすることができる。
【００５８】
以上説明したように第２の実施形態によれば、第１の実施形態における効果（１）〜（４）が同様に得られる他、以下の効果が得られる。
（１）清掃後の搬送ベルト１０Ｂの液体（洗浄液）残りを確実に除去することができ、記録媒体の汚れを防止すると共に、記録媒体の濡れによる印刷画像の滲み、あるいは濡れによる表面形状の歪み発生(コックリング)などによる、印刷不良や印刷不能を防止することができる。
【００５９】
（その他の変形例）
図５は、別の除去手段を説明する搬送部の部分模式図であり、図５（ａ）は、除去手段として、Ｗｅｂ紙を用いた実施形態、図５（ｂ）は、除去手段として、エアー吐出装置を用いた実施形態、図５（ｃ）は、除去手段として、ワイパーを用いた実施形態である。なお、図５（ａ）〜図５（ｃ）に示す実施形態は、除去手段以外の構成及び動作について図４に示す実施形態と同様であり、これを省略する。
【００６０】
（変形例１）
図５（ａ）において、除去手段は、液体の吸湿性を有する多孔質からなるロール状のＷｅｂ紙５２と、Ｗｅｂ紙５２を供給するセットローラ５１と、Ｗｅｂ紙５２を巻上げする回収ローラ５０とで構成されている。回収ローラ５０は、必要に応じ、制御部７から出力する駆動信号によりモータ５３を駆動することにより回転をする。
Ｗｅｂ紙５２は、セットローラ５１にセットされ、セットローラ５１からガイドローラ４８Ｂに案内されて回収ローラ５０に保持されている。搬送ベルト１０Ｂは、ガイドローラ４８Ｂとの間にＷｅｂ紙５２を挟むように案内されている。
【００６１】
洗浄槽２０Ｂにおいて洗浄された搬送ベルト１０Ｂは、ガイドローラ４８Ｂに案内されて用紙Ｐの搬入部５に戻る（第１の実施形態参照）。搬送ベルト１０Ｂは、ガイドローラ４８Ｂを通過時に、搬送ベルト１０Ｂの表面が、Ｗｅｂ紙５２により拭かれる（脱水される）ことにより、搬送ベルト１０Ｂに残留した液体Ｌを除去することができる。
【００６２】
回収ローラ５０は、例えば搬送ベルト１０Ｂの可動時間が所定の時間を経過する毎に、制御部７から出力する駆動信号によりモータ５３を駆動することにより回転し、Ｗｅｂ紙５２を回収ローラ５０に巻上げ、新たなＷｅｂ紙５２の供給を行う。モータ５３を駆動する場合は、回収ローラ５０の周速度がガイドローラ４８Ｂの周速度に同期する回転速度に制御される。
【００６３】
（変形例２）
図５（ｂ）において、除去手段は、例えば、ガイドローラ４８Ｃと洗浄槽２０Ｂの間の搬送ベルト１０Ｂの近傍に、エアー吐出装置５４を配置して、搬送ベルト１０Ｂにエアーを吐出することにより、搬送ベルト１０Ｂに残留した液体Ｌを、脱水及び乾燥することにより除去をすることができる。エアー吐出装置５４は、制御部７の駆動信号により作動する。エアー吐出装置５４は、吐出するエアーの設定温度が調整できる構成を有するのが望ましい。
【００６４】
（変形例３）
図５（ｃ）において、除去手段は、弾性を有するゴムなどからなるワイパー５５が、液体Ｌの入った洗浄槽２０の液体の給水されない位置（液体液面の搬送ベルト搬送方向下流側）の内面側壁に、洗浄槽２０Ｂにおいて洗浄された搬送ベルト１０Ｂの表面に弾圧して接触するように固着されている。搬送ベルト１０Ｂの表面が、ワイパー５５により拭かれる（脱水される）ことにより、搬送ベルト１０Ｂに残留した液体Ｌを除去することができる。ワイパー５５を配置する位置は、洗浄槽２０Ｂの搬送ベルト搬送方向下流側に配置する、どんな構成であっても良い。
【００６５】
以上の実施形態において、本発明の液滴吐出装置の一例として、機能液としてのインクを記録媒体としての用紙Ｐに吐出して、画像を印刷するインクジェット記録装置を用いて説明したが、機能液としては、特に限定されず、例えば以下のような各種の材料を含む液体（サスペンション、エマルジョン等の分散液を含む）とすることができる。
【００６６】
すなわち、カラーフィルタのフィルタ材料を含むインク、有機ＥＬ（Electro Luminescence）装置におけるＥＬ発光層を形成するための発光材料、電子放出装置における電極上に蛍光体を形成するための蛍光材料、ＰＤＰ（Plasma Display Panel）装置における蛍光体を形成するための蛍光材料、電気泳動表示装置における泳動体を形成する泳動体材料、基板の表面にバンクを形成するためのバンク材料、各種コーティング材料、電極を形成するための液状電極材料、２枚の基板間に微小なセルギャップを構成するためのスペーサを構成する粒子材料、金属配線を形成するための液状金属材料、マイクロレンズを形成するためのレンズ材料、レジスト材料、光拡散体を形成するための光拡散材料などが挙げられる。
【００６７】
また、本発明では、記録媒体（印刷媒体）は、用紙Ｐを用いた場合で説明したが、このような紙に限らず、フィルム、織布、不織布等の他のメディアや、ガラス基板、シリコン基板等の各種基板のようなワークであってもよい。
【００６８】
また、搬送ベルト１０は、フッ素樹脂としてＦＥＰを用いた場合で説明したが、これに限定されず、ＰＴＦＥ（ポリテトラフルオロエチレン）、ＰＦＡ（テトラフルオロエチレン・パーフルオロアルキルビニルエーテル共重合体）、ＥＴＦＥ（テトラフルオロエチレン・エチレン共重合体）、ＰＶＤＦ（ポリビニリデンフルオライド）、ＰＣＴＦＥ（ポリクロロトリフルオロエチレン）などが挙げられる。
【００６９】
さらに、搬送ベルト１０は、フッ素樹脂のＦＥＰで構成した場合で説明したが、ベルト本体が金属からなり、少なくともベルトのヘッドユニット２側の面にフッ素系樹脂のＦＥＰを貼り付けるなどの２層構成の場合、あるいはフッ素樹脂をコーティングした構成であっても良い。
【００７０】
以下に、前記実施形態及び変形例から把握される技術的思想を記載する。
（１）請求項７において、前記洗浄槽の前記搬送手段の搬送方向下流側に前記搬送手段を案内するローラを備え、前記除去手段は、前記ローラ内にヒータを配置したことを特徴とする液滴吐出装置。
（２）請求項７において、前記洗浄槽の前記搬送手段の搬送方向下流側に前記搬送手段を案内するローラを備え、前記除去手段は、前記搬送手段と前記ローラ間にＷｅｂ紙が配置され、該Ｗｅｂ紙は前記ローラに案内されることを特徴とする液滴吐出装置。
（３）請求項７において、前記除去手段は、エアー吐出装置であることを特徴とする液滴吐出装置。
（４）請求項７において、前記除去手段は、弾性を有するワイパー手段であることを特徴とする液滴吐出装置。
【符号の説明】
【００７１】
１…液滴吐出装置としてのインクジェット記録装置、２…記録ヘッド部としてのヘッドユニット、３，３Ｂ…搬送装置、４，４Ｂ…クリーニング部、７…制御部、８…報知手段としての報知部、１０，１０Ｂ…搬送部としての搬送ベルト、２０，２０Ｂ…洗浄槽、２５…濃度検出手段としての濃度検出センサ、２６…リフト、２７…発光ダイオード、２８…フォトトランジスタ、４９…除去手段としてのヒータ、５２…除去手段としてのＷｅｂ紙、５４…除去手段としてのエアー吐出装置、５５…除去手段としてのワイパー、Ｌ…液体としての水、Ｐ…記録媒体としての用紙。
【図１】
2010023515.tif 000003
【図２】
2010023515.tif 000004
【図３】
2010023515.tif 000005
【図４】
2010023515.tif 000006
【図５】
2010023515.tif 000007
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
記録媒体に機能液を吐出して画像を記録するための記録ヘッド部と、該記録ヘッド部に前記記録媒体を搬送する搬送部を有する搬送手段と、該搬送手段の搬送部の表面を清掃するための液体の入った洗浄槽とを備えた液滴吐出装置において、
前記搬送手段の搬送部に対して前記記録媒体のない部分に機能液を吐出して空打ちするように前記記録ヘッド部を制御する制御部を備え、前記搬送部は、少なくとも表面がフッ素系樹脂からなり、
前記洗浄槽に前記液体の濃度検出手段を備え、前記液体の濃度が所定値に達した時に報知する報知手段を備えたことを特徴とする液滴吐出装置。
【請求項２】
請求項１に記載の液滴吐出装置において、
前記液体は水であることを特徴とする液滴吐出装置。
【請求項３】
請求項１又は２の何れか一項に記載の液滴吐出装置において、
前記洗浄槽を移動する移動手段を備え、前記洗浄槽が、前記搬送手段が前記液体中を通過可能な第１位置と、前記搬送手段が前記液体と離れた第２の位置とのうちの、どちらか一方を選択可能なことを特徴とする液滴吐出装置。
【請求項４】
請求項１乃至３の何れか一項に記載の液滴吐出装置において、
前記液体の濃度が所定値に達した時に、前記洗浄槽内の液体の交換を行うことを特徴とする液滴吐出装置。
【請求項５】
請求項１乃至４の何れか一項に記載の液滴吐出装置において、
前記液体を脱水及び乾燥のうちの少なくとも一方の方法で除去する除去手段を、前記洗浄槽の前記搬送手段の搬送方向下流側に備えたことを特徴とする液滴吐出装置。